(57)【要約】【課題】同一性を保持する権利を侵害することなく情報提示を行う。【解決手段】放送受信装置と共に用いられる情報表示装置において、通信信号の送受信を行う通信部と、通信部を介して取得した情報の表示やメニュー表示を行う表示部と、ユーザ操作に応じた操作信号を生成するユーザインタフェース部と、操作信号に基づいて通信部や表示部の動作を制御する制御部を設けて、制御部は、表示部に放送受信装置で受信可能な放送番組に関連した情報を選択するためのメニュー表示を行い、操作信号によって情報の要求設定が行われたとき、この要求設定に基づき情報の要求を示す通信信号を通信部から送信し、この要求に該当する情報を示す通信信号を通信部で受信したとき、この受信した情報を表示部に表示する。【選択図】        図１
2009077299.tif 000002
【特許請求の範囲】
【請求項１】
放送受信装置と共に用いられる情報表示装置において、
通信信号の送受信を行う通信部と、
前記通信部を介して取得した情報の表示やメニュー表示を行う表示部と、
ユーザ操作に応じた操作信号を生成するユーザインタフェース部と、
前記操作信号に基づいて前記通信部や前記表示部の動作を制御する制御部を有し、
前記制御部は、前記表示部に前記放送受信装置で受信可能な放送番組に関連した情報を選択するためのメニュー表示を行い、前記操作信号によって情報の要求設定が行われたとき、この要求設定に基づき情報の要求を示す通信信号を前記通信部から送信し、この要求に該当する情報を示す通信信号を前記通信部で受信したとき、この受信した情報を前記表示部に表示する
ことを特徴とする情報表示装置。
【請求項２】
前記放送受信装置を遠隔制御するためのリモートコントロール信号を送信するリモコン送信部を設け、
前記制御部は、前記受信した情報に選局情報が含まれており、前記操作信号によって選局操作が行われたことが示されたとき、前記選局情報に基づくチャンネルを前記放送受信装置で選局させるリモートコントロール信号を前記リモコン送信部から送信させる
ことを特徴とする請求項１記載の情報表示装置。
【請求項３】
前記要求設定を記憶する記憶部を設け、
前記制御部は、前記記憶部に記憶されている前記要求設定に基づいて情報の要求を示す通信信号を前記通信部から送信させる
ことを特徴とする請求項１記載の情報表示装置。
【発明の詳細な説明】
【技術分野】
【０００１】
この発明は、情報表示装置に関する。詳しくは、放送番組やネットワークを介して供給された情報の同一性を保持する権利を侵害することなく情報表示を行えるようにするものである。
【背景技術】
【０００２】
テレビジョン装置では、放送番組の映像や音声の提示が行われており、例えば特許文献１の発明では、複数の番組の映像を同一画面上で同時に表示することが行われている。
【０００３】
また、放送番組に連動してショッピング情報や視聴お勧め情報、生活情報等をネットワーク例えばインターネット等を介して配信するサービスも行われている。
【０００４】
【特許文献１】特開２００３−１０１９００号公報
【発明の開示】
【発明が解決しようとする課題】
【０００５】
ところで、放送番組の映像にネットワークを介して供給された情報の映像を同一画面上で同時に表示すると、放送番組やネットワークを介して供給された情報等の著作物に対して著作者の意に反した変更や改変となり、同一性を保持する権利の侵害となってしまうおそれが生じる。
【０００６】
そこで、この発明では、放送番組やネットワークを介して供給された情報の同一性を保持する権利を侵害することなく、情報提示を行うことができる情報表示装置を提供するものである。
【課題を解決するための手段】
【０００７】
この発明に係る情報表示装置は、放送受信装置と共に用いられる情報表示装置であって、通信信号の送受信を行う通信部と、通信部を介して取得した情報の表示やメニュー表示を行う表示部と、ユーザ操作に応じた操作信号を生成するユーザインタフェース部と、操作信号に基づいて通信部や表示部の動作を制御する制御部を有し、制御部は、表示部に放送受信装置で受信可能な放送番組に関連した情報を選択するためのメニュー表示を行い、操作信号によって情報の要求設定が行われたとき、この要求設定に基づき情報の要求を示す通信信号を通信部から送信し、この要求に該当する情報を示す通信信号を通信部で受信したとき、この受信した情報を表示部に表示するものである。
【発明の効果】
【０００８】
この発明によれば、放送受信装置と共に用いられる情報表示装置において、制御部は、表示部に放送受信装置で受信可能な放送番組に関連した情報を選択するためのメニュー表示を行い、操作信号によって情報の要求設定が行われたとき、この要求設定に基づき情報の要求を示す通信信号を通信部から送信し、この要求に該当する情報を示す通信信号を通信部で受信したとき、この受信した情報を表示部に表示する。
【０００９】
このため、放送番組の映像にネットワークを介して供給された情報の映像が同一画面上で同時に表示されることがなく、放送番組やネットワークを介して供給された情報の同一性を保持する権利を侵害することなく情報提示を行える。
【発明を実施するための最良の形態】
【００１０】
以下、図を参照しながら、この発明の実施の一形態について説明する。図１は、情報表示装置の機能構成を示すブロック図である。
【００１１】
情報表示装置１０の通信部１１は、ネットワークを介して情報提供先から提示する情報を取得するためのものである。通信部１１は、後述するＣＰＵ(Central Processing Unit)２１から供給された送信データをパケット化して、送信データのパケットに対して送信データの宛先を示すアドレスや送信元である自己のアドレス等を示すヘッダ情報を付加してフレームデータを生成する。さらに、生成したフレームデータをネットワークの伝送路に応じた通信信号として送信する。また、通信部１１は、ネットワークを介して供給された通信信号から自己のアドレスを宛先とするフレームデータを検出して、このフレームデータから受信データのパケットを取り出して、バス３１を介してＣＰＵ２１に供給する。なお、通信部１１は、誤り検出訂正処理やデータ伝送制御等も行う。
【００１２】
バス３１には、通信部１１やＣＰＵ２１だけでなく、表示部１２、ユーザインタフェース部１３、リモコン送信部１４、不揮発性メモリ２２、ＲＡＭ(Random Access Memory)２３が接続されている。
【００１３】
表示部１２は、ＬＣＤ(Liquid Crystal Display)やＥＬ(electroluminescence)等の表示デバイスを用いて構成されており、ＣＰＵ２１から供給された表示信号に基づいてユーザに提示する情報や情報表示装置１０を操作するための操作画面等の表示を行う。ユーザに提示する情報は、例えば静止画像や動画像あるいは文字等として表示される。
【００１４】
ユーザインタフェース部１３は、操作キーやリモコン受信部で構成されている。ユーザインタフェース部１３は、ユーザのキー操作に応じた操作信号を生成してＣＰＵ２１に供給する。また、リモコン受信部でリモートコントロール信号を受信して得られた受信信号を操作信号としてＣＰＵ２１に供給する。
【００１５】
リモコン送信部１４は、ＣＰＵ２１から供給された機器制御信号に基づきリモートコントロール信号を生成して送信する。リモコン送信部１４は、例えば赤外発光ダイオードを用いて構成されており、赤外線を用いた無線信号としてリモートコントロール信号を送信する。
【００１６】
また、リモコン送信部１４は、電波を用いてリモートコントロール信号を送信するものとしても良い。この場合、リモコン送信部１４は、例えば少ない消費電力で無線通信を行うことができるように、近距離通信を想定した低通信レート向けの規格であるＩＥＥＥ８０２．１５．４に準拠した無線通信を行う。この場合、ＣＰＵ２１から供給された機器制御信号をパケット化したのち、宛先や送信元のアドレス等を示すヘッダ情報を付加する。このヘッダ情報が付加された信号に対して、Ｏ−ＱＰＳＫ(Offset Quadrature Phase Shift Keying )変調処理を行う。さらに、この変調処理によって得られた変調信号を、ＤＳＳＳ(Direct Sequence Spread Spectrum)方式で拡散変調して、２．４ＧＨｚの周波数帯の無線信号として送信する。また、テレビジョン装置では、無線信号を受信して逆拡散処理を行い、ＤＳＳＳ方式で拡散変調される前の変調信号に戻し、この変調信号の復調処理を行うことで、Ｏ−ＱＰＳＫ変調処理前のベースバンド信号を生成する。ここで、ベースバンド信号から自己宛のパケットの抽出処理等を行うことで、情報表示装置１０から送信された機器制御信号を得ることができる。
【００１７】
ＣＰＵ２１は、不揮発性メモリ２２に保持されているプログラムを読み出して実行することで、ユーザ操作に応じて情報表示装置１０の動作が行われるように各部を制御する。  不揮発性メモリ２２は、情報表示装置１０を動作させるためのプログラムを保持する。また、電源オフ後でも保持しておく必要のあるデータが書き込まれる。
【００１８】
ＲＡＭ２３は、情報表示装置１０が動作されているとき種々の処理を行うための作業用として用いられるメモリである。
【００１９】
図２は、情報表示装置の実装例を示している。図２の（Ａ）は、放送番組の提示を行うテレビジョン装置５０の外部に情報表示装置１０を設ける場合を示している。この場合、情報表示装置１０は、テレビジョン装置５０の上面あるいは側面に外付けする。また、テレビジョン装置５０の下面側に情報表示装置１０を外付けするものとしてもよい。
【００２０】
図２の（Ｂ）は、テレビジョン装置５０の筐体内部に情報表示装置１０を設ける場合を示している。この場合、テレビジョン装置５０の筐体内部には、情報表示装置１０を設ける空間を確保して、この空間に情報表示装置１０を設ける。また、テレビジョン装置５０の筐体前面には、情報表示装置１０の表示部１２に対応した位置に開口を形成して、表示部１２で表示された情報をテレビジョン装置５０の前方からユーザが読み取れるようにする。なお、表示部１２の設置位置は、テレビジョン装置５０の表示画面に対して上下左右の何れかの位置に設けるものとする。
【００２１】
図２の（Ｃ）は、テレビジョン装置を遠隔操作するためのリモートコントロール装置に情報表示装置１０を内蔵する場合を示している。この場合、リモートコントロール装置５５の利便性を低下させることがないように、情報表示装置１０の通信部１１は、無線信号で通信を行うようにする。また、リモートコントロール装置５５の筐体の例えば操作面側に開口を形成して、この開口の位置に情報表示装置１０の表示部１２を設ける。このように表示部１２を設けることで、リモートコントロール装置５５の操作キーをユーザが操作しながらでも、表示部１２に表示された情報を読み取ることができる。
【００２２】
次に、情報表示動作について説明する。図３は、情報表示動作を示すフローチャートである。ステップＳＴ１でＣＰＵ２１は、検索する情報の設定がなされているか否かを判別する。ここで、情報表示装置１０の動作が最初に行われるときには、検索する情報の設定がなされていないことから、ＣＰＵ２１は、検索する情報の設定がされていないと判別して判別ステップＳＴ３に進む。また、ＣＰＵ２１は、検索する情報の設定がなされていると判別したときステップＳＴ２に進む。
【００２３】
ステップＳＴ３でＣＰＵ２１は、検索する情報の設定が完了したか否かを判別する。ＣＰＵ２１は、検索する情報の設定画面を表示部１２に表示する。また、ＣＰＵ２１は、ユーザインタフェース部１３からの操作信号に基づき、ユーザがどのような設定を行ったかを判別して、検索する情報の設定を示す設定情報を生成する。ＣＰＵ２１は、各設定項目に対してユーザの設定が行われたことを判別したとき、検索する情報の設定が完了したものとしてステップＳＴ４に進む。また、ユーザの設定が完了していないときはステップＳＴ３に戻り、検索する情報の設定を継続する。
【００２４】
図４は、検索する情報の設定を行う際の設定操作画面を例示している。図４の（Ａ）に示す設定操作画面では、検索する情報の項目として例えば「人気ＴＶ番組」「ＴＶ番組連動ショッピング」「生活情報」等の項目表示を行い、ユーザによって選択された項目に対して選択表示「レ」を行う。また、図４の（Ｂ）に示す設定操作画面を表示してジャンルの設定を行う。この設定操作画面では、検索するジャンルの項目として例えば「恋愛ドラマ」「スポーツ」「温泉，旅行」等の項目表示を行い、ユーザによって選択された項目に対して選択表示「レ」を行う。このように設定操作画面を表示して、この表示にしたがいユーザ操作を行わせることで、選択された項目を選択する情報として設定する。
【００２５】
ステップＳＴ４でＣＰＵ２１は、情報の検索を行うか否かを判別する。ＣＰＵ２１は、図５に示すように、情報の検索を行うか否かの選択画面を表示部１２に表示する。また、ＣＰＵ２１は、ユーザインタフェース部１３からの操作信号に基づき、ユーザが情報の検索の実行を選択したと判別したときは、設定情報を不揮発性メモリ２２に記憶したのちステップＳＴ５に進む。また、ユーザが情報の検索の実行を選択しないと判別したときは、設定情報を不揮発性メモリ２２に記憶することなく情報表示動作を終了する。
【００２６】
このように、情報の検索を行うと、設定情報が不揮発性メモリ２２に記憶される。このため、情報の検索が行われている情報表示装置で動作を開始させると、ステップＳＴ１でＣＰＵ２１は、検索する情報の設定がなされていると判別したときステップＳＴ２に進む。
【００２７】
ステップＳＴ２でＣＰＵ２１は、設定の変更が選択されたか否かを判別する。ＣＰＵ２１は、不揮発性メモリ２２に記憶されている設定情報を読み出して、検索する情報の設定を表示部１２に表示する。また、ＣＰＵ２１は、ユーザインタフェース部１３からの操作信号に基づき、ユーザが設定の変更を選択したと判別したときステップＳＴ３に進み検索する情報の設定を再度行う。さらに、ＣＰＵ２１は、ユーザが設定の変更を選択していない判別したとき、検索する情報の設定を変更することなくステップＳＴ４に進み、情報の検索を行うか否かを判別する。
【００２８】
ステップＳＴ５でＣＰＵ２１は、検索要求を送信する。ＣＰＵ２１は、不揮発性メモリ２２に記憶されている設定情報を読み出して、この設定情報に基づき検索要求信号を生成して通信部１１に供給する。通信部１１は、供給された検索要求信号をフレームデータに変換して通信信号として情報提供先に送信してステップＳＴ６に進む。
【００２９】
ここで、情報提供先の動作について説明する。情報提供先は、ショッピング情報や放送番組の視聴お勧め情報、生活情報等の情報提供を行うものであり、情報表示装置１０から検索要求信号が供給されたとき、提供可能な情報から検索要求信号で示された設定情報に該当する情報を検索する。さらに、検索結果情報を、検索要求信号の送信を行った情報表示装置に対して返送する。なお、検索結果は、静止画像や動画像、文字データ、放送番組の選局情報、音声情報などから構成される。
【００３０】
また、情報提供先では、提供する情報を刻一刻と更新することもある。したがって、情報提供先は、検索要求信号で示された設定情報を情報表示装置毎に記憶しておき、情報が更新されたとき、設定情報に該当する情報を新たに検索して、検索結果を対応する情報表示装置に送信するものとしても良い。
【００３１】
ステップＳＴ６でＣＰＵ２１は、検索結果を受信したか否か判別する。ＣＰＵ２１は、情報提供先から検索結果を示す情報信号が供給されていないときステップＳＴ７に進み、検索結果を示す情報信号が供給されたときステップＳＴ９に進む。
【００３２】
ステップＳＴ７でＣＰＵ２１は、検索要求を送信してから所定時間が経過したか否かを判別する。ＣＰＵ２１は、検索要求を送信してから所定時間が経過していないと判別したときステップＳＴ６に戻り、所定時間が経過したと判別したときステップＳＴ８に進む。
【００３３】
ステップＳＴ８でＣＰＵ２１は、表示部１２を制御して検索結果の供給がないことを示す表示を行ってステップＳＴ１２に進む。
【００３４】
ステップＳＴ９でＣＰＵ２１は、表示部１２を制御して、受信した検索結果が示す情報を表示部１２に表示してステップＳＴ１０に進む。図６は、検索結果表示画面を示しており、例えば検索結果である文字情報を表示する。
ステップＳＴ１０でＣＰＵ２１は、選局操作が行われたか否かを判別する。ＣＰＵ２１は、ユーザインタフェース部１３からの操作信号に基づき、ユーザが選局操作を行ったか否かを判別する。ここで、ＣＰＵ２１は、検索結果が示す情報を表示してから所定期間内に、ユーザが選局操作を行ったと判別したときステップＳＴ１１に進み、選局操作を行ったと判別されないときステップＳＴ１２に進む。
【００３５】
ステップＳＴ１１でＣＰＵ２１は、ユーザの選局操作に対応したリモートコントロール信号をリモコン送信部１４からテレビジョン装置５０に送信してステップＳＴ１２に進む。
【００３６】
ここで、情報表示装置が図２の（Ａ）に示すようにテレビジョン装置５０に外付けされる場合、リモコン送信部１４からリモートコントロール信号として赤外線信号を送信するときは、このリモートコントロール信号がテレビジョン装置５０のリモコン受信部に入射するようにリモコン送信部１４を設ける。また、情報表示装置が図２の（Ｂ）に示すようにテレビジョン装置５０に内蔵される場合、ＣＰＵ２１から出力される機器制御信号を、テレビジョン装置において選局の制御を行う制御部に供給するものとしてもよい。さらに、電波を用いてリモートコントロール信号を送信すれば、赤外線を用いる場合よりもリモートコントロール信号の指向性が広いことから、リモコン送信部１４の設置が容易となる。
【００３７】
ステップＳＴ１２でＣＰＵ２１は、新たな設定で情報の検索を行うか否かを判別する。ＣＰＵ２１は、新たな設定で情報の検索を行うか否かの選択表示を表示部１２に表示する。また、ＣＰＵ２１は、ユーザインタフェース部１３からの操作信号に基づき、ユーザが新たな設定での情報の検索を選択したことを判別したときはステップＳＴ３に戻り、新たな設定での情報の検索を選択していないと判別したときは、情報表示動作を終了する。
【００３８】
このようにすれば、放送番組と情報表示が独立して別個に行われることから、放送番組の同一性を保持する権利を侵害することなく情報提示を行うことができる。
【図面の簡単な説明】
【００３９】
【図１】情報表示装置の機能構成を示すブロック図である。
【図２】情報表示装置の実装例を示す図である。
【図３】情報表示動作を示すフローチャートである。
【図４】検索する情報の設定を行う際の設定操作画面である。
【図５】情報の検索を行うか否かの選択画面を示す図である。
【図６】検索結果表示画面を示す図である。
【符号の説明】
【００４０】
１０・・・情報表示装置、１１・・・通信部、１２・・・表示部、１３・・・ユーザインタフェース部、１４・・・リモコン送信部、２１・・・ＣＰＵ、２２・・・不揮発性メモリ、２３・・・ＲＡＭ、３１・・・バス、５０・・・テレビジョン装置、５５・・・リモートコントロール装置
【図１】
2009077299.tif 000003
【図２】
2009077299.tif 000004
【図３】
2009077299.tif 000005
【図４】
2009077299.tif 000006
【図５】
2009077299.tif 000007
【図６】
2009077299.tif 000008